(57)【要約】      （修正有）【課題】実物に忠実に大量生産することが可能なミニチュアカンカラ三味線を提供する。【解決手段】ミニチュアカンカラ三味線１０は、アルミキャップで形成された胴体部分１２及び胴体部分１２を貫通して伸長された弦１３張り用のさお部１４を有するミニチュアカンカラ三味線本体１１と、このミニチュアカンカラ三味線本体１１とは別体に配置され、さお部１４を立てかけ可能に立設された立てかけ台２０とを有する。そして、胴体部分１２を除くミニチュアカンカラ三味線本体１１と、立てかけ台２０とを夫々プラスチックで型による成形手段により成形した。【選択図】図１Ａ
0003138006.tif 000002
【実用新案登録請求の範囲】
【請求項１】
アルミキャップで形成された胴体部分及び該胴体部分を貫通して伸長された弦張り用のさお部を有するミニチュアカンカラ三味線本体と、
該ミニチュアカンカラ三味線本体とは別体に配置され前記さお部を立てかけ可能に立設された立てかけ台と、を有し、
少なくとも前記胴体部分を除く前記ミニチュアカンカラ三味線本体と前記立てかけ台とを、夫々プラスチックで型による成形手段により成形した、
ことを特徴とするミニチュアカンカラ三味線。
【請求項２】
前記立てかけ台は、先端に前記さお部を支持するさお受け部が形成された棒状の本体受け部材と、該本体受け部材を立設状に保持する保持部が形成された台座と、を有し、
前記本体受け部材と前記台座とを前記保持部を介して組み立て可能とした、
ことを特徴とする請求項１記載のミニチュアカンカラ三味線。
【請求項３】
前記ミニチュアカンカラ三味線本体は、前記さお部における前記胴体部分と反対側の長手方向の一端に形成されて前記弦を浮上保持する歌口と、
該歌口の近傍で前記弦の延長上に形成された糸巻き部と、を有する、
ことを特徴とする請求項１又は２記載のミニチュアカンカラ三味線。
【請求項４】
前記さお受け部は、前記さお部を嵌合可能な凹部である、
ことを特徴とする請求項１から３のいずれか記載のミニチュアカンカラ三味線。
【考案の詳細な説明】
【技術分野】
【０００１】
本考案は三味線をミニチュア化したミニチュアカンカラ三味線に関する。
【背景技術】
【０００２】
従来より、沖縄民謡の演奏に用いられている弦楽器として、例えば、三味線（沖縄では三線という。）が広く知られている。この三味線は、胴体部分やさお部に黒檀や花梨などの木材が使用されているが、木材を使用する以外に、胴体部分に金属製の缶を使用したカンカラ三線と呼ばれるものがある。
【０００３】
近年では、沖縄ブームの影響により沖縄への観光客や沖縄の文化を知りたいという沖縄愛好家が増加しており、観光客や愛好家からは、このカンカラ三線に関する商品が注目を集めている。
【０００４】
カンカラ三味線に関する商品の一つとして、このカンカラ三味線を題材にした置物としてのミニチュアカンカラ三味線がある。
【考案の開示】
【考案が解決しようとする課題】
【０００５】
ところで、このミニチュアカンカラ三味線に求められることは、実物を忠実に再現して小型化し、且つ、美感を備えたものである。また、さらには、大量生産が可能であることが求められる。しかし、このミニチュアカンカラ三味線を削り加工により製造することは、多くの工程を要し、コスト面も高くなる。
【０００６】
そこで、本考案の課題は、上記従来の実状を鑑みて、実物に忠実に大量生産することが可能なミニチュアカンカラ三味線を提供することである。
【課題を解決するための手段】
【０００７】
ミニチュアカンカラ三味線は、アルミキャップで形成された胴体部分及び該胴体部分を貫通して伸長された弦張り用のさお部を有するミニチュアカンカラ三味線本体と、このミニチュアカンカラ三味線本体とは別体に配置され上記さお部を立てかけ可能に立設された立てかけ台とを有する。そして、上記胴体部分を除く上記ミニチュアカンカラ三味線本体と、上記立てかけ台とを夫々プラスチックで型による成形手段により成形した。
【０００８】
好ましくは、上記立てかけ台は、先端に上記さお部を支持するさお受け部が形成された棒状の本体受け部材と、この本体受け部材を立設状に保持する保持部が形成された台座とを有し、上記本体受け部材と、上記台座とを上記保持部を介して組み立て可能とした。
【０００９】
好ましくは、上記ミニチュアカンカラ三味線本体は、上記さお部における上記胴体部分と反対側の長手方向の一端に形成されて上記弦を浮上保持する歌口と、この歌口の近傍で上記弦の延長上に形成された糸巻き部とを有する構成とした。
【００１０】
好ましくは、上記さお受け部は、上記さお部を嵌合可能な凹部である構成とした。
【考案の効果】
【００１１】
本考案によれば、プラスチックで型による成形手段により成形することで、実物に忠実で且つ大量に生産することができる。
【考案を実施するための最良の形態】
【００１２】
以下、本考案の実施の形態に係わるミニチュアカンカラ三味線１０について、図を参照しながら説明を行う。
図１Ａは、本実施の形態のミニチュアカンカラ三味線１０の全体を示した正面図であり、図１Ｂはその側面図である。尚、図１Ａ、図１Ｂ及び後述する図２及び図３は、ミニチュアカンカラ三味線１０の構造をわかりやすくするために模式的に示している。
【００１３】
ミニチュアカンカラ三味線１０は、アルミキャップで形成された胴体部分１２及びこの胴体部分１２を貫通して伸長された弦１３を張るためのさお部１４を有するミニチュアカンカラ三味線本体１１を有している。また、このミニチュアカンカラ三味線本体１１とは別体に配置されて、さお部１４を立てかけ可能に立設された立てかけ台２０を有している。
【００１４】
胴体部分１２及び弦１３を除くミニチュアカンカラ三味線本体１１と立てかけ台２０とは、夫々プラスチックで型による成形方法によって成形されている。尚、プラスチックとして、例えば、ポリエチレン又はポリカーボネイト等の熱可逆塑性樹脂が用いられている。このように熱可逆性樹脂で成形することで、胴体部分１２を除くミニチュアカンカラ三味線本体１１や立てかけ台２０を型による成形手段で成形することができるので、大量生産が可能となる。
【００１５】
ミニチュアカンカラ三味線本体１１は、実際の三味線により近づけた構成となっている。すなわち、胴体部分１２と、この胴体部分１２を貫通して伸長された弦１３を張るためのさお部１４と、このさお部１４における胴体部分１２と反対側の長手方向の一端に形成されて弦１３を浮上保持する歌口１５と、この歌口１５の近傍で弦１３の延長上に形成された糸巻き部１６とで構成されている。
【００１６】
胴体部分１２は、カンカラとも呼ばれており、この胴体部分１２の表面には、所望のデザインを施すことが可能である。これにより、外観が良くなる。また、弦１３は糸又は針金で糸状に形成される。尚、この弦１３はナイロンやテフロン（登録商標）等で形成しても良い。
【００１７】
さお部１４は、弦１３を張るために長手方向に伸長されている。そして、長手方向の一端は胴体部分１２を貫通して胴体部分１２から少し突出した突出部１４ａを有し、他端には糸巻き部１６が形成されている。この突出部１４ａと糸巻き部１６との間に弦１３が張設されている。
【００１８】
糸巻き部１６は先端に孔が形成されたピン状をなし、さお部１４の先端に装着されている。本実施の形態では、糸巻き部１６は３本あり、各糸巻き部１６で夫々１本の弦１３を吊っている。
【００１９】
また、歌口１５は、プラスチックで型による成形手段によりさお部１４と一体に成形されている。また、３本の糸巻き部１６は、さお部１４に装着されて接着剤などで固定されている。特にこれらの部位は、細かい形状となっており、破損しやすいので、プラスチックなどの熱可逆性樹脂で成形することで容易には破損しない。また、大量生産も可能となる。
【００２０】
上述したように、実際の三味線に形状をより近づけたミニチュアカンカラ三味線本体１１は、図１Ｂに示すように、立てかけ台２０に斜めに立てかけられる。これにより、ミニチュアカンカラ三味線本体１１を美しく飾ることができる。
【００２１】
図２Ａは立てかけ台２０の本体受け部材２１の全体を示した正面図であり、図２Ｂは図２Ａにおける線Ａ−Ａ´を示した図である。本体受け部材２１は円柱状の棒状部２２と、この棒状部２２の先端に設けられミニチュアカンカラ三味線本体１１のさお部１４を支持する円柱状で大径のさお受け部２３とを有している。
【００２２】
さお受け部２３には、断面コ字状に切り欠いた凹部２４が形成されている。尚、この棒状部２１及びさお受け部２３の外形は、円形に限定されず、例えば、多角形で形成しても良い。この凹部２４にさお部１４が嵌合されて支持される。これにより、ミニチュアカンカラ三味線本体１１を安定して立てかけることができる。
【００２３】
また、本体受け部材２１はプラスチックで一体に成形されていると上述したが、特に、この凹部２４をプラスチックで成形することにより深く切り込みを入れることができるようになった。これにより、ミニチュアカンカラ三味線本体１１をより強固にすることが可能となる。
【００２４】
図３は台座３０の全体を示した平面図である。台座３０は、本体受け部材２１を立設状に保持する保持部３１と、ミニチュアカンカラ三味線本体１１のさお部１４の下端部を嵌め込ませるくぼみ部３２とが形成されている。
【００２５】
保持部３１は、同図３に示すようにＤ字状に形成されている。この保持部３１に嵌合される本体受け部材２１の他端部も同様の形状で形成されている。尚、この保持部３１の形状は、Ｄ字状に限定されず、例えば、円形で形成しても良い。また、台座３０の外形は、円形で形成されているが、この形に限定されず、例えば、多角形で形成しても良い。つまり、この台座３０は、ミニチュアカンカラ三味線本体１１及び本体受け部材２１を安定して立設させるものであれば、特に形は限定されない。
【００２６】
以上の説明では、本体受け部２１と台座３０とを別々に成形して組み立てた場合について説明したが、これに限定されない。例えば、立てかけ台２０は、先端にさお部１４を支持する棒状の本体受け部材２１と、この本体受け部材２１を立設状に保持する台座３０とを型により一体成形してもよい。これら本体受け部材２１及び台座３０を夫々プラスチックで型による成形手段により一体成形することで大量生産が可能となる。
【００２７】
本実施の形態のミニチュアカンカラ三味線１０はミニチュアカンカラ三味線本体１１と、立てかけ台２０とを組み立てて形成するものである。これにより、販売時にはコンパクトに梱包して販売することができる。また、ミニチュアカンカラ三味線本体１１の胴体部分１２は様々な模様を施したものがあるので、ミニチュアカンカラ三味線本体１１を取り替えて楽しむことができる。
【００２８】
また、胴体部分１２及び糸１３を除くミニチュアカンカラ三味線本体１０、立てかけ台２０の本体受け部材２１及び台座３０が夫々プラスチックで成形されているので、夫々を大量に生産することができる。
【図面の簡単な説明】
【００２９】
【図１Ａ】ミニチュアカンカラ三味線の全体を示した正面図
【図１Ｂ】ミニチュアカンカラ三味線の全体を示した側面図
【図２Ａ】ミニチュアカンカラ三味線本体受け棒の全体を示した正面図
【図２Ｂ】図２Ａにおける線Ａ−Ａ´を示した図
【図３】台座の全体を示した平面図
【符号の説明】
【００３０】
１０      ミニチュアカンカラ三味線
１１      ミニチュアカンカラ三味線本体
１２      胴体部分
１３      弦
１４      さお部
１４ａ    突出部
１５      歌口
１６      糸巻き部
２０      立てかけ台
２１      本体受け部材
２２      棒状部
２３      さお受け部
２４      凹部
３０      台座
３１      保持部
３２      くぼみ部
【図２Ａ】
0003138006.tif 000003
【図２Ｂ】
0003138006.tif 000004
【図３】
0003138006.tif 000005
【図１Ａ】
0003138006.tif 000006
【図１Ｂ】
0003138006.tif 000007